【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  上位階層と下位階層を備えた無線プロトコルを有する送信機がパケットを受信機に伝送する方法において、
前記下位階層から少なくとも1つのパケットに対する伝送失敗の情報を上位階層が受信すると、前記上位階層は次のパケットを全体ヘッダーパケットとして伝送するか否かを決定する段階を含むことを特徴とする送信機のための全体ヘッダー伝送管理方法。
【請求項２】  前記上位階層は、前記次のパケットを全体ヘッダーパケットとして伝送することを特徴とする請求項１に記載の全体ヘッダー伝送管理方法。
【請求項３】  前記伝送失敗の情報は、下位階層がパケットを廃棄したことを示す情報であることを特徴とする請求項１に記載の全体ヘッダー伝送管理方法。
【請求項４】  前記伝送失敗の情報は、下位エンティティ（ＲＬＣ）により廃棄されたパケット（ＲＬＣＳＤＵ）を指示するために使用される指示子（ＭＵＩ）を含むことを特徴とする請求項３に記載の全体ヘッダー伝送管理方法。
【請求項５】  前記下位階層は、透明モード（ＴＭ）、無応答モード（ＵＭ）、又は応答モード（ＡＭ）で動作することを特徴とする請求項１に記載の全体ヘッダー伝送管理方法。
【請求項６】  前記下位階層が少なくとも1つのパケットを廃棄したと報告する度に、前記上位階層は、次のパケットを全体ヘッダーパケットとして伝送すると決定することを特徴とする請求項１に記載のプールヘッダー伝送管理方法。
【請求項７】  次のパケットを全体ヘッダーパケットとして伝送することは、受信機の要求と関係なく行われることを特徴とする請求項１に記載の全体ヘッダー伝送管理方法。
【請求項８】  前記上位階層は、廃棄されたパケットに関して上位階層に通知する必要があるか否かを示すパラメーターを前記下位階層に伝達すると、下位階層から情報を受信することを特徴とする請求項１に記載の全体ヘッダー伝送管理方法。
【請求項９】  前記下位階層からの情報は、それぞれのパケットに対する伝送結果に関連した情報であることを特徴とする請求項１に記載の全体ヘッダー伝送管理方法。
【請求項１０】  各パケットストリームが識別できるように前記全体ヘッダーパケットと共に文脈識別子（ＣＩＤ）が伝送されることを特徴とする請求項１に記載の全体ヘッダー伝送管理方法。
【請求項１１】  前記上位階層は、パケットデータ収斂プロトコル（ＰＤＣＰ）エンティティの一部であり、前記下位階層は、無線リンク制御（ＲＬＣ）エンティティの一部であることを特徴とする請求項１に記載の全体ヘッダー伝送管理方法。
【請求項１２】  前記送信機がネットワークで、前記受信機が端末であるか、又は、前記送信機が端末で、前記受信機がネットワークであることを特徴とする請求項１に記載の全体ヘッダー伝送管理方法。
【請求項１３】  前記パケットは、伝送制御プロトコル（ＴＣＰ）ストリームの一部であることを特徴とする請求項１に記載の全体ヘッダー伝送管理方法。
【請求項１４】  受信機にデータパケットを伝送するとき、全体ヘッダー伝送管理に利用される無線プロトコルを備えた送信機において、
前記上位階層が少なくとも1つのパケットの伝送失敗に関する情報を下位階層から受信すると、次のパケットを全体ヘッダーパケットとして伝送するか否かを決定する上位階層を含むことを特徴とする送信機。
【請求項１５】  前記上位階層は、
パケットストリームを受信して全体ヘッダーパケットと圧縮ヘッダーパケットを出力するヘッダー圧縮部と、
前記ヘッダー圧縮部により伝達される全体ヘッダーパケットと圧縮ヘッダーパケットを下位階層に伝達するデータ伝送部と、
前記データ伝送部に伝達される全体ヘッダーパケット又は圧縮ヘッダーパケットを出力するように前記ヘッダー圧縮部を制御するための情報を下位階層から受信するヘッダー圧縮制御部とを含むことを特徴とする請求項１４に記載の送信機。
【請求項１６】  前記下位階層は、
前記上位階層から伝達された全体ヘッダーパケット及び圧縮ヘッダーパケットを受信して格納するバッファ及び伝送部と、
パケットストリームの少なくとも1つのパケットの伝送失敗に関する情報を上位階層に提供する伝送失敗識別部と、
前記全体ヘッダーパケット及び圧縮ヘッダーパケットを受信機に伝送するように前記バッファ及び伝送部を制御する伝送制御部とを含むことを特徴とする請求項１４に記載の送信機。
【請求項１７】  前記上位階層は、次のパケットを全体ヘッダーパケットとして伝送することを特徴とする請求項１４に記載の送信機。
【請求項１８】  前記伝送失敗に関する情報は、下位階層がパケットを廃棄したことを示す情報であることを特徴とする請求項１４に記載の送信機。
【請求項１９】  前記伝送失敗に関する情報は、下位エンティティ（ＲＬＣ）により廃棄されたパケット（ＲＬＣＳＤＵ）を指示するために使用される指示子（ＭＵＩ）を含むことを特徴とする請求項１８に記載の送信機。
【請求項２０】  前記下位階層は、透明モード（ＴＭ）、無応答モード（ＵＭ）、又は応答モード（ＡＭ）で動作することを特徴とする請求項１４に記載の送信機。
【請求項２１】  前記上位階層は、下位階層が少なくとも１つのパケットを廃棄したことを報告する度に、次のパケットを全体ヘッダーパケットとして伝送すると決定することを特徴とする請求項１４に記載の送信機。
【請求項２２】  次のパケットを全体ヘッダーパケットとして伝送することは、受信機の要求と関係なく行われることを特徴とする請求項１４に記載のことを特徴とする送信機。
【請求項２３】  前記上位階層は、廃棄されたパケットに関して上位階層に通知する必要があるか否かを示すパラメーターを前記下位階層に伝達すると、下位階層から情報を受信することを特徴とする請求項１４に記載の全体ヘッダー伝送管理方法。
【請求項２４】  前記下位階層からの情報は、それぞれのパケットの伝送結果に関連した情報であることを特徴とする請求項１４に記載のことを特徴とする送信機。
【請求項２５】  各パケットストリームが識別できるように前記全体ヘッダーパケットと共に文脈識別子（ＣＩＤ）が伝送されることを特徴とする請求項１４に記載の送信機。
【請求項２６】  前記上位階層は、パケットデータ収斂プロトコル（ＰＤＣＰ）エンティティの一部であり、前記下位階層は、無線リンク制御（ＲＬＣ）エンティティの一部であることを特徴とする請求項１４に記載のことを特徴とする送信機。
【請求項２７】  前記送信機がネットワークで、前記受信機が端末であるか、又は、前記送信機が端末で、前記受信機がネットワークであることを特徴とする請求項１４に記載の送信機。
【請求項２８】  前記パケットは、伝送制御プロトコル（ＴＣＰ）ストリームの一部であることを特徴とする請求項１４に記載の送信機。
【請求項２９】  上位階層と下位階層を備えた無線プロトコルを有する送信機がデータパケットを受信機に伝送する方法において、
上位階層が全体ヘッダーパケットの成功的な伝送に関する情報を下位階層から受信すると、以前に成功的に伝送された全体ヘッダーパケットと同一の全体ヘッダーを含む追加的な全体ヘッダーパケットの伝送を中止するように決定することを特徴とする全体ヘッダー伝送管理方法。
【請求項３０】  前記下位階層が応答モード（ＡＭ）で動作すると、前記下位階層は、パケットのプロトコルデータユニットが成功的に受信されたか否かを示す状態情報（状態ＰＤＵ）を受信機から受信することを特徴とする請求項２９に記載の全体ヘッダー伝送管理方法。
【請求項３１】  前記上位階層は、前記下位階層に成功的に受信されたパケットに関して上位階層に通知する必要があるか否かを示すパラメーターを伝達すると、下位階層から情報を受信することを特徴とする請求項２９に記載の全体ヘッダー伝送管理方法。
【請求項３２】  前記下位階層からの情報は、それぞれのパケットに対する伝送結果に関連した情報であることを特徴とする請求項２９に記載の全体ヘッダー伝送管理方法。
【請求項３３】  前記下位階層からの情報は、全体ヘッダーパケットの周期的又は非周期的な反復伝送結果に関連した情報であることを特徴とする請求項２９に記載の全体ヘッダー伝送管理方法。
【請求項３４】  各パケットストリームが識別できるように前記全体ヘッダーパケットと共に文脈識別子（ＣＩＤ）が伝送されることを特徴とする請求項２９に記載の全体ヘッダー伝送管理方法。
【請求項３５】  前記上位階層は、パケットデータ収斂プロトコル（ＰＤＣＰ）エンティティの一部であり、前記下位階層は、無線リンク制御（ＲＬＣ）エンティティの一部であることを特徴とする請求項２９に記載の全体ヘッダー伝送管理方法。
【請求項３６】  前記送信機がネットワークで、前記受信機が端末であるか、又は前記送信機が端末で、前記受信機がネットワークであることを特徴とする請求項２９に記載の全体ヘッダー伝送管理方法。
【請求項３７】  前記パケットは、非伝送制御プロトコル（ｎｏｎ−ＴＣＰ）ストリームの一部であることを特徴とする請求項２９に記載の全体ヘッダー伝送管理方法。
【請求項３８】  前記非伝送制御プロトコル（ｎｏｎ−ＴＣＰ）は、ユーザデータグラムプロトコル／インターネットプロトコル（ＵＤＰ／ＩＰ）であることを特徴とする請求項３７に記載の全体ヘッダー伝送管理方法。
【請求項３９】  無線プロトコルを有し、データパケットを受信機に伝送する送信機において、
前記無線プロトコル内に上位階層及び下位階層を備え、
全体ヘッダーパケットの成功的伝送に関する情報を下位階層から受信すると、前記上位階層は以前に成功的に伝送された全体ヘッダーパケットと同一の全体ヘッダーを含む追加的な全体ヘッダーパケットの伝送を中止すると決定することを特徴とする送信機。
【請求項４０】  前記上位階層は、
パケットストリームを受信して全体ヘッダーパケットと圧縮ヘッダーパケットを出力するヘッダー圧縮部と、
前記ヘッダー圧縮部から受信した全体ヘッダーパケットと圧縮ヘッダーパケットを下位階層に伝達するデータ伝送部と、
前記データ伝送部により伝達される全体ヘッダーパケット又は圧縮ヘッダーパケットを出力するように前記ヘッダー圧縮部を制御するための情報を前記下位階層から受信するヘッダー圧縮制御部とを含むことを特徴とする請求項３９に記載の送信機。
【請求項４１】  前記下位階層は、
前記上位階層から伝達された全体ヘッダーパケットと圧縮ヘッダーパケットを受信して格納するバッファ及び伝送部と、
パケットストリームの少なくとも1つのパケットの伝送成功に関する情報を上位階層に提供する伝送成功識別部と、
前記全体ヘッダーパケットと圧縮ヘッダーパケットを受信機に伝送するように前記バッファ及び伝送部を制御する伝送制御部とを含むことを特徴とする請求項３９に記載の送信機。
【請求項４２】  前記伝送成功識別部は、パケットのプロトコルデータユニットが成功的に受信されたか否かを示す状態情報を受信機から受信することを特徴とする請求項４１に記載の送信機。
【請求項４３】  前記下位階層が応答モード（ＡＭ）で動作すると、前記下位階層は、パケットのプロトコルデータユニットが成功的に受信されたか否かを示す状態情報（状態ＰＤＵ）を受信機から受信することを特徴とする請求項３９に記載の送信機。
【請求項４４】  前記上位階層は、前記下位階層に成功的に伝送されたパケットに関して上位階層に通知する必要があるか否かを示すパラメーターを伝達すると、下位階層から情報を受信することを特徴とする請求項３９に記載の送信機。
【請求項４５】  前記下位階層からの情報は、それぞれのパケットに対する伝送結果に関連した情報であることを特徴とする請求項３９に記載の送信機。
【請求項４６】  前記下位階層からの情報は、全体ヘッダーパケットの周期的又は非周期的な反復伝送結果に関連した情報であることを特徴とする請求項３９に記載の送信機。
【請求項４７】  各パケットストリームが識別できるように前記全体ヘッダーパケットと共に文脈識別子（ＣＩＤ）が伝送されることを特徴とする請求項３９に記載の送信機。
【請求項４８】  前記上位階層は、パケットデータ収斂プロトコル（ＰＤＣＰ）エンティティの一部であり、前記下位階層は、無線リンク制御（ＲＬＣ）エンティティの一部であることを特徴とする請求項３９に記載の送信機。
【請求項４９】  前記送信機がネットワークで、前記受信機が端末であるか、又は、前記送信機が端末で、前記受信機がネットワークであることを特徴とする請求項３９に記載の送信機。
【請求項５０】  前記パケットは、非伝送制御プロトコル（ｎｏｎ−ＴＣＰ）ストリームの一部であることを特徴とする請求項３９に記載の送信機。
【請求項５１】  前記非伝送制御プロトコル（ｎｏｎ−ＴＣＰ）は、ユーザデータグラムプロトコル／インターネットプ１コトコル（ＵＤＰ／ＩＰ）であることを特徴とする請求項５０に記載の送信機。